(57)【特許請求の範囲】
【請求項１】
サンルーフ作動用のスイッチの操作状態を入力し、各操作状態を所定数の変換信号のオンオフ状態の組み合わせに変換して出力する変換ユニットと、該変換ユニットから出力された各変換信号を、対応した信号線を介して入力し、各信号線から入力された変換信号のオンオフ状態の組み合わせに基づいてサンルーフを駆動するサンルーフユニットとからなるサンルーフ作動制御装置において、
イグニッションスイッチオン等の始動条件成立時に、前記変換ユニットから出力される総ての変換信号を所定時間オン状態に維持する一方、前記始動条件成立後の前記所定時間中に、前記サンルーフユニットにて、前記各信号線から入力された前記変換信号の総てがオン状態で検出されなかったときは、断線有と判断する断線検出手段を備えたことを特徴とするサンルーフ作動制御装置。
【請求項２】
前記断線検出手段が断線有と判断した際に、前記サンルーフの作動を禁止する断線時作動禁止手段を備えたことを特徴とする請求項１記載のサンルーフ作動制御装置。
【請求項３】
始動条件不成立時に前記変換ユニットが出力する総ての変換信号をオフ状態に設定する一方、前記サンルーフユニットは、前記変換信号の総てがオフ状態にあるとき前記各信号線からの変換信号のうち少なくとも一つがオン状態に変化した際に、消費電力を押さえたスリープモードから通常作動を行うウエイクアップモードへ移行する移行手段を備えたことを特徴とする請求項１又は２記載のサンルーフ作動制御装置。
【発明の詳細な説明】
【０００１】
【発明の属する技術分野】
本発明は、サンルーフの作動を制御するサンルーフ作動制御装置に関する。
【０００２】
【従来の技術】
従来、サンルーフ付きの車両には、サンルーフを開閉作動するサンルーフ作動制御装置を装備したものがある。
【０００３】
この種のサンルーフ作動制御装置では、操作スイッチからサンルーフユニットへの配線を少なくするために、各スイッチのＯＮ・ＯＦＦ状態を入力し、その操作状態を所定数の変換信号のオンオフ状態の組み合わせに変換して出力する変換ユニットを備えたものが知られている。これにより、該変換ユニットから出力された各変換信号に対応する前記所定数の信号線を、前記変換ユニットとサンルーフユニット間に配線するだけで、各信号線から入力された変換信号のオンオフ状態の組み合わせに基づいて、サンルーフを駆動できるように構成されている。
【０００４】
また、通常のサンルーフ作動制御装置では、イグニッションスイッチＯＦＦ時に作動しないように構成されており、イグニッションスイッチＯＮ時のみに作動可能とすることで、バッテリー上がりを防止している。
【０００５】
【発明が解決しようとする課題】
しかしながら、このようなサンルーフ作動制御装置にあっては、各スイッチの変換信号を伝達する信号線が断線した場合、前記各変換信号が、操作したスイッチと異なるスイッチが操作された場合と同じ組み合わせになることがある。このとき、サンルーフユニットでは、断線を判断することができないため、実際に操作されたスイッチと異なるスイッチが操作されたと誤認し、この誤認したスイッチに対応する作動を行う恐れがあった。
【０００６】
具体的には、サンルーフ開スイッチが操作された場合、第１の信号線の変換信号ＳＷ１が”ＯＮ”、第２の信号線の変換信号ＳＷ２が”ＯＮ”、第３の信号線の変換信号ＳＷ３が”ＯＦＦ”となるように設定されており、チルトダウンスイッチが操作された際には、第１の信号線の変換信号ＳＷ１が”ＯＮ”、第２の信号線の変換信号ＳＷ２が”ＯＦＦ”、第３の信号線の変換信号ＳＷ３が”ＯＦＦ”となるように設定されている場合を例に挙げて説明する。
【０００７】
このサンルーフ作動制御装置において、サンルーフ開スイッチが押された際には、図７の（ａ）に示すように、第１の信号線の変換信号ＳＷ１が”ＯＮ”、第２の信号線の変換信号ＳＷ２が”ＯＮ”、第３の信号線の変換信号ＳＷ３が”ＯＦＦ”となり、スイッチ操作通りにサンルーフの開作動を行う。
【０００８】
しかし、前記第２の信号線が断線していた場合、該第２の信号線の変換信号ＳＷ２は、常時”ＯＦＦ”となってしまう。このため、サンルーフ開スイッチが押された場合であっても、図７の（ｂ）に示すように、第１の信号線の変換信号ＳＷ１が”ＯＮ”、第２の信号線の変換信号ＳＷ２が”ＯＦＦ”、第３の信号線の変換信号ＳＷ３が”ＯＦＦ”となり、サンルーフユニットは、チルトダウンスイッチが押されたと誤判断してしまい、チルトダウン制御を行ってしまう。
【０００９】
本発明は、このような従来の課題に鑑みてなされたものであり、各スイッチの状態を伝達する信号線が断線した場合であっても、断線検出用の配線を増やすこと無く、断線を検出することができるサンルーフ作動制御装置を提供することを目的とするものである。
【００１０】
【課題を解決するための手段】
前記課題を解決するために本発明の請求項１のサンルーフ作動制御装置にあっては、サンルーフ作動用のスイッチの操作状態を入力し、各操作状態を所定数の変換信号のオンオフ状態の組み合わせに変換して出力する変換ユニットと、該変換ユニットから出力された各変換信号を、対応した信号線を介して入力し、各信号線から入力された変換信号のオンオフ状態の組み合わせに基づいてサンルーフを駆動するサンルーフユニットとからなるサンルーフ作動制御装置において、イグニッションスイッチオン等の始動条件成立時に、前記変換ユニットから出力される総ての変換信号を所定時間オン状態に維持する一方、前記始動条件成立後の前記所定時間中に、前記サンルーフユニットにて、前記各信号線から入力された前記変換信号の総てがオン状態で検出されなかったときは、断線有と判断する断線検出手段を備えている。
【００１１】
すなわち、サンルーフ作動用のスイッチが操作され、変換ユニットがサンルーフユニットへ変換信号を送る際、イグニッションスイッチオン等の始動条件が成立した制御立ち上げ時において、前記変換ユニットからの各信号線から送られてくる総ての変換信号がオン状態と検出されたときに正常と判断され、いずれか一つでもオン状態が検出されなかったときには、断線検出手段にて断線有と判断される。これにより、断線検出用の配線を増やすこと無く、断線が検出される。
【００１２】
また、請求項２のサンルーフ作動制御装置においては、前記断線検出手段が断線有と判断した際に、前記サンルーフの作動を禁止する断線時作動禁止手段を備えている。
【００１３】
すなわち、断線が検出された際には、断線時作動禁止手段により、サンルーフの作動が禁止される。このため、断線により各変換信号の組み合わせが変わっても、これに基づいたサンルーフの誤動作が防止される。
【００１４】
さらに、請求項３のサンルーフ作動制御装置では、始動条件不成立時に前記変換ユニットが出力する総ての変換信号をオフ状態に設定する一方、前記サンルーフユニットは、前記変換信号の総てがオフ状態にあるとき前記各信号線からの変換信号のうち少なくとも一つがオン状態に変化した際に、消費電力を押さえたスリープモードから通常作動を行うウエイクアップモードへ移行する移行手段を備えている。
【００１５】
すなわち、変換信号の総てがオフ状態にあるスリープモードのときに、各信号線からの変換信号のうち少なくとも一つがオン状態に変化したことを検出することで、始動条件成立の判断が行われる。このとき、サンルーフユニットは、移行手段によって、消費電力を押さえたスリープモードから通常作動を行うウエイクアップモードへ移行されるので、イグニッション信号など始動条件成立判断用の配線を別途設けること無く、ウエイクアップモードへの移行が行われる。
【００１６】
また、仮に一つの信号線が断線した場合であっても、前記ウエイクアップモードへ移行することができるため、前述した断線検出が確実に行われる。
【００１７】
【発明の実施の形態】
以下、本発明の一実施の形態を図に従って説明する。図１は、本実施の形態にかかるサンルーフ作動制御装置１を示すブロック図であり、該サンルーフ作動制御装置１は、サンルーフ付きの車両に装備され、サンルーフスイッチ２の入力に応じてサンルーフを開閉作動するように構成されている。
【００１８】
このサンルーフ作動制御装置１は、ルーフに設けられた変換ユニットとしてのルーフユニット１１と、サンルーフを駆動するサンルーフユニット１２とにより構成されている。
【００１９】
前記ルーフユニット１１には、サンルーフ作動用のサンルーフスイッチ２を備えた操作パネルが接続されており、該操作パネルには、チルトアップ及びダウン操作を行う為のアップダウンスイッチ２１と、スライド開閉操作を行う為の開閉スイッチ２２と、開閉スイッチ２２と組み合わせて操作することにより全開位置または全閉位置まで一挙にスライド開閉を行う為のオートスイッチ２３とが設けられている。
【００２０】
前記アップダウンスイッチ２１のコモン端子３１は、グランドライン３２に接地されており、一方の接続端子３３は、アップ信号線３４を介して前記ルーフユニット１１に接続され、他方の接続端子３５は、ダウン信号線３６を介して前記ルーフユニット１１に接続されている。また、前記開閉スイッチ２２のコモン端子３７も、グランドライン３２に接地されており、一方の接続端子３８は、開信号線３９を介して前記ルーフユニット１１に接続され、他方の接続端子４１は、閉信号線４２を介して、前記ルーフユニット１１に接続されている。さらに、前記オートスイッチ２３の一方の端子４５は、グランドライン３２に接地されており、他方の端子４６は、オート信号線４７を介して、前記ルーフユニット１１に接続されている。
【００２１】
また、前記ルーフユニット１１には、バッテリー電源が供給線５１を介して供給されるとともに、イグニッションスイッチがイグニッション線５２を介して接続されており、イグニッションスイッチのＯＮ／ＯＦＦ状態を把握できるように構成されている。
【００２２】
このルーフユニット１１と前記サンルーフユニット１２との間には、第１〜第３の信号線６１〜６３が配線されており、当該ルーフユニット１２からは、前記第１信号線６１を介して、第１の変換信号ＳＷ１が、前記サンルーフユニット１２へ出力されるように構成されている。また、前記ルーフユニット１１からは、前記第２信号線６２を介して、第２の変換信号ＳＷ２が、前記サンルーフユニット１２へ出力されるとともに、前記第３信号線６３を介して、第３の変換信号ＳＷ３が、前記サンルーフユニット１２へ出力されるように構成されている。
【００２３】
そして、このルーフユニット１１は、前記各スイッチ２１〜２３の操作状態を入力するとともに、各操作状態を、前記各変換信号ＳＷ１〜ＳＷ３のＯＮ／ＯＦＦの組み合わせに変換するように構成されている。
【００２４】
図２は、その具体例を示す図であり、スイッチの変換マトリクス７１が示されている。簡単に説明すると、イグニッションスイッチが”ＯＮ”された始動条件成立時には、第１〜第３の変換信号ＳＷ１〜ＳＷ３の総てが、所定時間である２００ｍＳ間”ＯＮ”となるように設定されている。
【００２５】
すなわち、図３に示すように、イグニッションスイッチが”ＯＮ”された際には、サンルーフスイッチ２の状態に関わらず、第１〜第３の信号線６１〜６３からの変換信号ＳＷ１〜ＳＷ３の総てが、所定時間である２００ｍＳ間”ＯＮ”となるように構成されている。
【００２６】
そして、前記イグニッションスイッチが”ＯＦＦ”の間には、第１〜第３の変換信号ＳＷ１〜ＳＷ３の総てが、常時”ＯＦＦ”となるように設定されている。
【００２７】
前記開閉スイッチ２２が開側に操作されたスライド開時には、第１の変換信号ＳＷ１が”ＯＮ”、第２の変換信号ＳＷ２が”ＯＮ”、第３の変換信号ＳＷ３が”ＯＦＦ”となるように設定されており、前記開閉スイッチ２２が閉側に操作されたスライド閉時には、第１の変換信号ＳＷ１が”ＯＦＦ”、第２の変換信号ＳＷ２が”ＯＮ”、第３の変換信号ＳＷ３が”ＯＦＦ”となるように設定されている。
【００２８】
前記アップダウンスイッチ２１がアップ側に操作されたチルトアップ時には、第１の変換信号ＳＷ１が”ＯＦＦ”、第２の変換信号ＳＷ２が”ＯＮ”、第３の変換信号ＳＷ３が”ＯＮ”となるように設定されており、前記アップダウンスイッチ２１がダウン側に操作されたチルトダウン時には、第１の変換信号ＳＷ１が”ＯＮ”、第２の変換信号ＳＷ２が”ＯＦＦ”、第３の変換信号ＳＷ３が”ＯＦＦ”となるように設定されている。
【００２９】
また、前記開閉スイッチ２２が開側に操作され、かつオートスイッチ２３がオン操作された際には、第１の変換信号ＳＷ１が”ＯＮ”、第２の変換信号ＳＷ２が”ＯＦＦ”、第３の変換信号ＳＷ３が”ＯＮ”となるように設定されており、前記開閉スイッチ２２が閉側に操作され、かつオートスイッチ２３がオン操作された際には、第１の変換信号ＳＷ１が”ＯＦＦ”、第２の変換信号ＳＷ２が”ＯＦＦ”、第３の変換信号ＳＷ３が”ＯＮ”となるように設定されている。
【００３０】
一方、これらの変換信号ＳＷ１〜ＳＷ３が伝達される前記サンルーフユニット１２は、マイコンを中心に構成されており、図１に示したように、バッテリー電源が供給線５３を介して供給されている。また、サンルーフを駆動する為のサンルーフモータ７１と、サンルーフの移動方向及び移動位置を検出する為のエンコーダ７２とが接続されており、前記サンルーフモータ７１を正逆転させることで、サンルーフを開閉操作できるように構成されている。
【００３１】
このサンルーフユニット１２は、前記ルーフユニット１１から出力された各変換信号ＳＷ１〜ＳＷ３を、対応した信号線６１〜６３を介して入力するとともに、各信号線６１〜６３から入力された各変換信号ＳＷ１〜ＳＷ３のオンオフ状態の組み合わせに基づいて、サンルーフを駆動するように構成されている。
【００３２】
すなわち、前記ルーフユニット１１からの第１の変換信号ＳＷ１が”ＯＮ”、第２の変換信号ＳＷ２が”ＯＮ”、第３の変換信号ＳＷ３が”ＯＦＦ”の間は、サンルーフをスライド開作動する一方、第１の変換信号ＳＷ１が”ＯＦＦ”、第２の変換信号ＳＷ２が”ＯＮ”、第３の変換信号ＳＷ３が”ＯＦＦ”の間は、サンルーフをスライド閉作動するように構成されている。
【００３３】
また、前記ルーフユニット１１からの第１の変換信号ＳＷ１が”ＯＦＦ”、第２の変換信号ＳＷ２が”ＯＮ”、第３の変換信号ＳＷ３が”ＯＮ”の間は、サンルーフをチルトアップさせる一方、第１の変換信号ＳＷ１が”ＯＮ”、第２の変換信号ＳＷ２が”ＯＦＦ”、第３の変換信号ＳＷ３が”ＯＦＦ”の間は、サンルーフをチルトダウンさせるように構成されている。
【００３４】
さらに、前記ルーフユニット１１からの第１の変換信号ＳＷ１が”ＯＮ”、第２の変換信号ＳＷ２が”ＯＦＦ”、第３の変換信号ＳＷ３が”ＯＮ”の場合には、サンルーフを現在ある位置から全開位置まで自動開作動させる一方、第１の変換信号ＳＷ１が”ＯＦＦ”、第２の変換信号ＳＷ２が”ＯＦＦ”、第３の変換信号ＳＷ３が”ＯＮ”の場合には、サンルーフを現在ある位置から全閉位置まで自動閉作動させるように構成されている。
【００３５】
そして、前記ルーフユニット１１からの第１〜第３の変換信号ＳＷ１〜ＳＷ３の総てが”ＯＦＦ”の場合には、前記サンルーフモータ７１用の駆動回路への電源を遮断して消費電力を押さえるスリープモードへ移行する。一方、イグニッションスイッチが”ＯＮ”された始動条件成立時には、前記第１〜第３の変換信号ＳＷ１〜ＳＷ３の総てを”ＯＮ”としてルーフユニット１１から出力させる。
【００３６】
そして、サンルーフユニット１２は、この前記変換信号ＳＷ１〜ＳＷ３の総てが”ＯＦＦ”の状態にあるとき、前記第１〜第３の変換信号ＳＷ１〜ＳＷ３の少なくともいずれかが”ＯＮ”となっ場合には、前記駆動回路への電源の供給を開始して、前記スリープモードから通常作動が行えるウエイクアップモードへ移行するように構成されている。
【００３７】
加えて、イグニッションスイッチが”ＯＮ”された始動条件成立時の所定時間の間は、前記第１〜第３の変換信号ＳＷ１〜ＳＷ３の総てを”ＯＮ”としてルーフユニット１１から出力される。
【００３８】
そして、サンルーフユニット１２は、前記各信号線６１〜６３から入力された前記変換信号ＳＷ１〜ＳＷ３の総ての変換信号ＳＷ１〜ＳＷ３が”ＯＮ”の場合、各信号線６１〜６３に断線が無いと判断し、前記変換信号ＳＷ１〜ＳＷ３の総てが”ＯＮ”ではない場合、すなわち、変換信号ＳＷ１〜ＳＷ３の一つでも”ＯＦＦ”である場合には、各信号線６１〜６３に断線があると判断するように成され、各信号線６１〜６３の断線チェックを行うように構成されている。
【００３９】
以上の構成にかかる本実施の形態において、サンルーフ作動制御装置１の動作を、図４に示すフローチャートに従って説明する。
【００４０】
先ず、サンルーフユニット１２のマイコンのＲＡＭに確保されたイグニッションオンオフ判断フラグを”ＯＦＦ”としてセットして現在のイグニッションスイッチの状態を”ＯＦＦ”とし（Ｓ１）、このイグニッションオンオフ判断フラグが”ＯＮ”で有るか否かを判断する（Ｓ２）。このとき、前記イグニッションオンオフ判断フラグは”ＯＦＦ”のため、ステップＳ３へ移行しルーフユニット１１からの第１〜第３の変換信号ＳＷ１〜ＳＷ３のいずれか一つでも”ＯＮ”であるか否かを判断する（Ｓ３）。
【００４１】
この判断において、イグニッションスイッチが”ＯＦＦ”されている場合には、図２に示したように、総ての変換信号ＳＷ１〜ＳＷ３が”ＯＦＦ”なので、何もせず前記ステップＳ２へ分岐して、サンルーフモータ７１用の駆動回路への電源を遮断して消費電力を押さえるスリープモードを維持する一方、第１〜第３の変換信号ＳＷ１〜ＳＷ３のいずれか一つでも”ＯＮ”の場合には、前記イグニッションオンオフ判断フラグの”ＯＦＦ”フラグをクリアして現在のイグニッションスイッチの状態を”ＯＮ”として記憶する（Ｓ４）。
【００４２】
このときは、イグニッションスイッチが”ＯＮ”された始動条件成立時であって、前述のように、ルーフユニット１１からの第１〜第３の変換信号ＳＷ１〜ＳＷ３は所定時間の間（後述のように２００ｍＳ間）総て”ＯＮ”として出力しているものである。
【００４３】
そしてこれとともに、イグニッションＯＮ用のＴ１タイマーによる計測を開始し（Ｓ５）、前記ステップＳ２へ移行する。なお、本実施の形態において、Ｔ１タイマーによる計測時間は、所定時間である２００ｍＳに設定されているものとする。
【００４４】
このステップＳ２では、前記イグニッションオンオフ判断フラグが”ＯＮ”であるか否かの状態を判断する。このとき、前記イグニッションオンオフ判断フラグが”ＯＮ”フラグの場合には、前記Ｔ１タイマーによる２００ｍＳの計測が終了したか否かを判断し（Ｓ６）、計測中の場合には、変換信号ＳＷ１〜ＳＷ３の総てがＴ２時間”ＯＮ”を継続するか監視をつづけ（Ｓ７）、マイコンのＲＡＭに設定されたサンルーフ作動禁止フラグをセットしてサンルーフの作動を禁止状態にした後（Ｓ８）、ステップＳ９へ移行する。
【００４５】
ここで、本実施の形態において、前記Ｔ２時間は５０ｍＳに設定されているものとする。
【００４６】
前記Ｔ２時間は、前記所定時間である２００ｍＳよりも短い時間で、かつ、ノイス等により”ＯＮ”となる時間より長い時間とし、ここでは、前記所定時間の１／４の長さの時間に設定した。
【００４７】
これにより、ノイズ等によって変換信号ＳＷ１〜ＳＷ３が５０ｍＳより短い期間”ＯＮ”された場合であっても、これをキャンセルできるように構成され、また、ルーフユニット１１とサンルーフユニット１２とでタイマーのタイミングにずれが起きた場合でも、サンルーフユニット１２が、変換信号ＳＷ１〜ＳＷ３の”ＯＮ”を検出できるように構成されている。
【００４８】
前記ステップＳ９では、変換信号ＳＷ１〜ＳＷ３の総てが”ＯＦＦ”であるか否かを判断し（Ｓ９）、総てが”ＯＦＦ”で無い場合には、前記ステップＳ２へ分岐する。一方、前記変換信号ＳＷ１〜ＳＷ３の総てが”ＯＦＦ”となるイグニッションスイッチ”ＯＦＦ”時には、前記イグニッションオンオフ判断フラグをクリアして、イグニッションスイッチの状態を”ＯＦＦ”として記憶した後（Ｓ１０）、前記ステップＳ２へ移行する。
【００４９】
該ステップＳ２では、前記イグニッションオンオフ判断フラグが”ＯＮ”フラグであるか否かを判断する。このとき、前記イグニッションオンオフ判断フラグが”ＯＮ”フラグの場合、前記Ｔ１タイマーによる２００ｍＳの計測が終了したか否かを判断し（Ｓ６）、前記Ｔ１タイマーによる２００ｍＳの計測が終了していた場合には、Ｔ１タイマーによる２００ｍＳの計測中に、変換信号ＳＷ１〜ＳＷ３の総てが一定期間であるＴ２時間”ＯＮ”を継続して検出できたか否かを判断する（Ｓ１１）。このとき、前記変換信号ＳＷ１〜ＳＷ３の総てがＴ２時間”ＯＮ”を継続して検出できなかった場合には、マイコンのＲＡＭに設定されたサンルーフの信号線断線検出フラグをセットして”断線有”を記憶するとともに（Ｓ１２）、前記サンルーフ作動禁止フラグをセットしてサンルーフの作動を禁止状態にした後（Ｓ１３）、前記ステップＳ９へ移行する。このとき、前記ルーフユニット１１では、図外のインジケータを点灯し、断線の旨を警報する。また、サンルーフユニット１２では、各変換信号ＳＷ１〜ＳＷ３を受け付けずサンルーフモータ７１を作動させないようにするものとする。
【００５０】
一方、前記ステップＳ１１において、Ｔ１タイマーによる２００ｍＳの計測中に、変換信号ＳＷ１〜ＳＷ３の総てが一定期間であるＴ２時間”ＯＮ”を継続して検出できたと判断した際には、サンルーフモータ７１用の駆動回路への電源の供給を開始して通常作動が行えるサンルーフ通常作動制御へ移行して（Ｓ１４）、前記ステップＳ９へ移行する。このとき、前記変換信号ＳＷ１〜ＳＷ３より”ＯＮ”入力してから所定時間の２００ｍＳは経過している。
【００５１】
そして、イグニッションスイッチが”ＯＮ”された始動条件成立時から、この所定時間の２００ｍＳ間は、サンルーフの作動が禁止されている。
【００５２】
サンルーフスイッチ２とイグニッションスイッチとを、ほぼ同時に、あるいはサンルーフスイッチ２をわずかに早く操作して”ＯＮ”した場合でも、イグニッションスイッチが”ＯＮ”された始動条件成立時には、前述のように、サンルーフの作動を禁止し、所定時間の間（２００ｍＳの間）断線検出を行っているので、仮に断線によって変換信号ＳＷ１〜ＳＷ３が”ＯＮ”されたサンルーフスイッチ２と異なる組み合わせの変換信号ＳＷ１〜ＳＷ３にされていても、サンルーフユニット１２は、サンルーフを誤作動させることはない。
【００５３】
なお、イグニッションスイッチが”ＯＮ”されていないときには、サンルーフユニット１２はウエイクアップモードになっていないので、この状態でサンルーフスイッチ２を操作して”ＯＮ”にしてもサンルーフは作動することは無い。
【００５４】
このように、ルーフユニット１１がサンルーフユニット１２へ各変換信号ＳＷ１〜ＳＷ３を送る際、イグニッションスイッチがＯＮされて始動条件が成立した制御立ち上げ時において、前記ルーフユニット１１からの各信号線６１〜６３から送られてくる総ての変換信号ＳＷ１〜ＳＷ３が”ＯＮ”のときに正常と判断し、いずれか一つでも”ＯＦＦ”の場合には、”断線有”と判断される。これにより、断線検出用の配線を増やすこと無く、断線を検出することができる。
【００５５】
したがって、断線検出用の配線を増設して断線を判断する場合と比較して、低コスト化を図ることができる。
【００５６】
また、断線検出時には、サンルーフの作動を禁止するため、断線により各変換信号ＳＷ１〜ＳＷ３の”ＯＮ／ＯＦＦ”組み合わせが変化しても、これに基づいたサンルーフの誤動作を確実に防止することができる。
【００５７】
さらに、前記各信号線６１〜６３からの変換信号ＳＷ１〜ＳＷ３のうち少なくとも一つが”ＯＮ”に変化したことを検出することで、始動条件成立の判断を行うことができる。このとき、サンルーフユニット１２を、消費電力を押さえたスリープモードから通常作動を行うウエイクアップモードへ移行することができる。このため、イグニッション信号など始動条件成立判断用の配線を別途設けること無く、ウエイクアップモードへ移行することができ、低コスト化を図ることができる。
【００５８】
また、前記のように各信号線６１〜６３からの変換信号ＳＷ１〜ＳＷ３のうち少なくとも一つが”ＯＮ”に変化したことを検出することで、ウエイクアップモードへ移行するので、仮に一つあるいは二つの信号線６１〜６３が断線した場合であっても、前記ウエイクアップモードへ移行することができるため、前述した断線検出を確実に実行することができる。よって、前記各信号線６１〜６３の整備点検を実施することができる。
【００５９】
図５及び図６は、前記実施の形態の変形例を示すタイミングチャートであり、図５に示したように、サンルーフスイッチ２のいずれかが操作される毎に、前記各信号線６１〜６３の変換信号ＳＷ１〜ＳＷ３の総てを、２００ｍＳ間”ＯＮ”とすることで、スイッチ操作毎に断線チェックを行うものである。
【００６０】
このような構成において、第２信号線６２が断線した場合、図６に示したように、サンルーフスイッチ２のいずれかが操作された際に、前記第２信号線６２からの第２の変換信号ＳＷ２が常時”ＯＦＦ”となる。このため、前記各変換信号ＳＷ１〜ＳＷ３の総てが”ＯＮ”であると判断されず、”断線有”を検出することができる。これにより、以後のサンルーフの作動を禁止することができる。
【００６１】
この図５、図６のタイミングチャートは、イグニッションスイッチが”ＯＮ”状態にあり、サンルーフの作動を可能としている状態で、サンルーフスイッチ２の内のサンルーフ開スイッチを操作し、サンルーフをスライド開作動させるときを例にとって示したものである。図５は、断線のない正常のときを示しており、サンルーフ開スイッチを”ＯＮ”すると、所定時間（２００ｍＳ間）変換信号ＳＷ１〜ＳＷ３の総てを”ＯＮ”とし、所定時間経過後に、サンルーフ開スイッチ”ＯＮ”の変換信号るＳＷ１を”ＯＮ”、ＳＷ２を”ＯＮ”、ＳＷ３を”ＯＦＦ”としてサンルーフユニット１２に変換信号を送るものである。
【００６２】
そして、サンルーフ開スイッチを”ＯＮ”したときの所定時間（２００ｍＳ間）、変換信号ＳＷ１〜ＳＷ３の総てが”ＯＮ”となっており、この変換信号を伝達されたサンルーフユニットは、断線無しと判断して、所定時間経過後サンルーフモータ７１を正転駆動させてサンルーフを開スライド作動させる。
【００６３】
図６は前述のように第２信号線６２が断線しているため、サンルーフ開スイッチ”ＯＮ”したときに、所定時間（２００ｍＳ間）変換信号ＳＷ１とＳＷ３は”ＯＮ”となり、ＳＷ２は”ＯＦＦ”のままなので、この変換信号を伝達されたサンルーフユニットは、断線と判断して、所定時間経過してもサンルーフの作動そ禁止する。したがって、所定時間経過後にＳＷ１が”ＯＮ”、ＳＷ２が”ＯＦＦ”、ＳＷ３が”ＯＦＦ”の変換信号（この場合、断線してない正常のときは、チルトダウン作動されるものである）が伝達されても、チルトダウン作動がされることはない。
【００６４】
【発明の効果】
以上説明したように本発明の請求項１のサンルーフ作動制御装置にあっては、サンルーフ作動用のスイッチが操作され、変換ユニットからサンルーフユニットへ変換信号を送る際に、イグニッションスイッチオン等の始動条件が成立した制御立ち上げ時において、断線検出用の配線を増やすこと無く、断線を検出することができる。
【００６５】
したがって、断線検出用の配線を増設して断線を判断する場合と比較して、低コスト化を図ることができる。
【００６６】
また、請求項２のサンルーフ作動制御装置においては、断線検出時にサンルーフの作動を禁止するため、断線により各変換信号の組み合わせが変化しても、これに基づいたサンルーフの誤動作を確実に防止することができる。
【００６７】
さらに、請求項３のサンルーフ作動制御装置では、各信号線からの変換信号のうち少なくとも一つがオン状態に変化したことを検出することで、始動条件成立の判断を行うことができる。このとき、サンルーフユニットを、消費電力を押さえたスリープモードから通常作動を行うウエイクアップモードへ移行することができる。このため、イグニッション信号など始動条件成立判断用の配線を別途設けること無く、ウエイクアップモードへ移行することができ、低コスト化を図ることができる。
【００６８】
また、仮に一つの信号線が断線した場合であっても、前記ウエイクアップモードへ移行することができるため、前述した断線検出を確実に実行することができる。よって、前記各信号線の整備点検を実施することができる。
【図面の簡単な説明】
【図１】本発明の一実施の形態を示すブロック図である。
【図２】同実施の形態のルーフユニットにおけるスイッチの変換マトリクスを示す図である。
【図３】同実施の形態の動作を示すタイミングチャートである。
【図４】同実施の形態の動作を示すフローチャートである。
【図５】同実施の形態の変形例を示すタイミングチャートである。
【図６】同変形例において断線判断を行う際のタイミングチャートである。
【図７】従来のサンルーフ作動制御装置の動作を示すタイミングチャートである。
【符号の説明】
１    サンルーフ作動制御装置
２    サンルーフスイッチ
１１    ルーフユニット（変換ユニット）
１２    サンルーフユニット
２１    アップダウンスイッチ
２２    開閉スイッチ
２３    オートスイッチ
６１    第１信号線
６２    第２信号線
６３    第３信号線
ＳＷ１    第１の変換信号
ＳＷ２    第２の変換信号
ＳＷ３    第３の変換信号
【図１】
0004032820.tif 000002
【図２】
0004032820.tif 000003
【図３】
0004032820.tif 000004
【図４】
0004032820.tif 000005
【図５】
0004032820.tif 000006
【図６】
0004032820.tif 000007
【図７】
0004032820.tif 000008